(57)【要約】      （修正有）【課題】旅行や外出時にも嵩張らずに持ち運びに邪魔にならず、しかも皮膚や肌を傷つけることが無く、手の届かない背中に薬剤を塗布する際にも他人の手を借りることなく自分自身で塗布が可能な携帯用ブラシ型背中掻き具を提供する。【解決手段】内部の長手方向に中空穴３を形成した太柄２と、太柄の中空穴内に収納されて伸縮方向に摺動自在な細柄４と、細柄の端部に外周方向に放射状のブラシを固定したブラシ取付具５を具備する。【選択図】図１
0003198042.tif 000002
【実用新案登録請求の範囲】
【請求項１】
内部の長手方向に中空穴を形成した太柄と、前記太柄の中空穴内に収納されて伸縮方向に摺動自在な細柄と、前記細柄の前記太柄と反対側の端部に外周方向に放射状のブラシを固定したブラシ取付具を具備することを特徴とする携帯用ブラシ型背中掻き具。
【請求項２】
前記ブラシ取付具が、前記細柄の先端に固定する弾性材料からなる固定円筒部と、前記固定円筒部の先端部に形成した筒状のブラシ固定柱と、前記ブラシ固定柱部の外周囲に放射状に固定したブラシとを有する請求項１に記載の携帯用ブラシ型背中掻き具。
【請求項３】
前記ブラシは、その先端部分が太柄の方向に僅かに屈曲している柔軟性のある合成樹脂材料からなる細枝の集合体であることを特徴とする請求項１又は２に記載の携帯用ブラシ型背中掻き具。
【考案の詳細な説明】
【技術分野】
【０００１】
この考案は、持ち運びに便利で保管に便利で、しかも皮膚や肌にやさしく全方向で掻くことが出来る携帯用ブラシ型背中掻き具に関する。
【背景技術】
【０００２】
従来の背中掻き具としては、特許文献１に示されるように、長い柄の一端の内側面が凹となるように湾曲した弾性棒状体からなり、その湾曲した先端の近傍部を内側へ向けて鉤状に屈曲して掻き部を形成したものが知られている。更には、特許文献１の背中掻き具では柄の部分が長すぎるので、特許文献２に示されるように、２つ折りにした時に掻き部が凹部内に納まるように収納されて衛生的になると共に長さが約半分になって携帯に便利なものが考案されている。
【先行技術文献】
【特許文献】
【０００３】
【特許文献１】実用新案登録第３０７０７７７号
【特許文献２】特開２００２−２０４８１９号
【考案の概要】
【考案が解決しようとする課題】
【０００４】
長い柄の湾曲した先端近傍部を内側へ向けて鉤状に屈曲した掻き部を設けた背中掻き具は、持ち運びに不便であるので旅行などの外出時には不向きである。又、掻き部がバリ状であるので強く掻いた時は皮膚が傷付く恐れがある。
【０００５】
一方、２つ折りのものは、携帯用としては柄が短くなって持ち運びには便利であるが、折り畳み時に掻き部を具備する一方の柄を支点ピンを中心に円弧を描いて収納しなければならないのでスペースを要すると共に、掻き部が鉤状に屈曲した形状は改良されていないので、皮膚が傷つきやすいという課題は解決されていない。
【課題を解決するための手段】
【０００６】
この考案は上記事情に鑑みなされたものであって、旅行や外出時にも嵩張らずに持ち運びに邪魔にならず、しかも皮膚や肌を傷つけることが無く、手の届かない背中に薬剤を塗布する際にも他人の手を借りることなく自分自身で塗布が可能な携帯用ブラシ型背中掻き具を提供するものである。
【０００７】
その手段とするところは、内部の長手方向に中空穴を形成した太柄と、前記太柄の中空穴内に収納されて伸縮方向に摺動自在な細柄と、前記細柄の前記太柄と反対側の端部に外周方向に放射状のブラシを固定したブラシ取付具を具備することを特徴とする携帯用ブラシ型背中掻き具としたことにある。
【０００８】
又、前記ブラシ取付具が、前記細柄の先端に固定する弾性材料からなる固定円筒部と、前記固定円筒部の先端部に形成した筒状のブラシ固定柱と、前記ブラシ円柱部の外周囲に放射状に固定したブラシとしたところにある。
【０００９】
更に、前記ブラシは、その先端部分が太柄の方向に僅かに屈曲している柔軟性のある合成樹脂材料からなる細枝の集合体であることにある。
【考案の効果】
【００１０】
上記のように構成されるこの考案に係る携帯用ブラシ型背中掻き具によると、不使用時には太柄の中空穴の中へ細柄を押し込んで収納することで、長さは約半分となるので持ち運びに邪魔にならず、旅行などの外出時にも携帯し易い。又、２つ折りと異なり、伸縮自在な構造であるので、伸縮時に２つ折りのようなスペースが必要でない。
【００１１】
そして、使用時には、細柄を必要な長さ分だけ引き出して長くし、太柄を手で握持してブラシ取付具のブラシを背中の痒い個所に当ててブラシを往復移動しつつ掻いて痒みを緩和できる。この時、ブラシで掻くので皮膚や肌にやさしく当たり傷つく恐れが無く、又、掻き心地も良い。そのため年配者等皮膚や肌の弱い人に好適である。
【００１２】
更に、皮膚や肌などの虫刺されや皮膚炎など患部に効く軟膏などの薬剤を塗る場合には、必要量だけブラシに付着させて掻きつつ塗れるので、他人の手を借りることなく自分自身で心地よく痒みを緩和しつつ塗布できる。そのため、同居者や介護者のいない人に便利である。
【００１３】
更に又、この携帯用ブラシ型背中掻き具の製造時には、予めセットしておいたブラシ取付具を細柄の先端に固着するだけで良いので、簡単に製作出来る。
【００１４】
また、ブラシの先端が太柄の方向へ僅かに屈曲しているので、太柄を握持してブラシを皮膚に当てたまま往復動して掻く際に、押すときはブラシの丸みの部分が皮膚を滑るので柔らくて心地良く、引く時は細枝の先端が折れ曲げ方向に逆らって皮膚を掻くので痒みをその弾力性により心地良く緩和できる。いずれの場合でも、ブラシを形成する細枝が柔らかい合成樹脂材料等から出来ているので皮膚を傷つけることがない。
【図面の簡単な説明】
【００１５】
【図１】携帯用ブラシ型背中掻き具の実施例の正面図
【図２】細柄を太柄から引き出した実施例の正面図
【図３】実施例の平面拡大図
【図４】図３のＡ−Ａ線断面図
【図５】使用状態説明図
【考案を実施するための最良の形態】
【００１６】
この考案の携帯用ブラシ型背中掻き具を実施するための最良の形態について以下図を参考にしつつ説明する。図１、図２に示すように、携帯用ブラシ型背中掻き具１は、太柄２と、この太柄２の中空穴３に収納されて中空穴３の長手方向に摺動して伸縮自在な細柄４と、この細柄４の先端に固定したブラシ取付具５を主な構成とする。
【００１７】
前記太柄２は、天然の竹、木材、或いは合成樹脂を原材料とした棒状体であって、その内部の長手方向に中空穴３を形成したものである。この中空穴３の一方の開口端部３ａは解放されており、もう一方の開口端部３ｂは蓋部材３ｃによって閉められている。長さは１５〜２５ｃｍ程度、直径は８〜１５ｍｍ程度が好適に使用できる。天然資材を用いた時にはその内部の模様が外表面に現れるので親しみ易い。合成樹脂の場合にも色彩を施してデザインを向上させたり或いは凹凸を形成して掴みやすくしても良い。
【００１８】
前記細柄４は、前記中空穴３の内部に開口端部３ａから収納されており、その長手方向に太柄２の中空穴３内で摺動できるように中空穴３の内径よりもその外径が僅かに小さく形成された棒状のものである。材質は太柄２と同じであっても異なるものであっても良い。長さは中空穴３の長さと同等か僅かに短くしてその太柄２の開口端部３ａからその先端部４ａが突出するようにしている。そして、この細柄４が中空穴３から抜け出さないように、図示していないが、細柄４の後端部４ｂには僅かな拡径部が形成されており、中空穴３の開口端部３ａ内には僅かな縮径部が形成されている。
【００１９】
前記ブラシ取付具５は、図４に良く現れているように、前記細柄４の先端部４ａに固定する弾性材料からなる固定円筒部５ａと、前記固定円筒部５ａの先端部に形成した筒状のブラシ円柱部５ｂと、前記ブラシ円柱部５ｂの外周囲に放射状に固定したブラシ６を構成する細枝６ａを有している。前記固定円筒部５ａは直接に先端部４ａに嵌め込んで材料の弾性を利用や接着剤によって固定しても良いが、弾性の利用や接着剤によって固定し難い時には、図示のように、固定円筒部５ａの内部に接着性の良い中間部材７を固定して、この中間部材７と先端部４ａを接着剤で固定しても良い。
【００２０】
又、図３、図４に良く現れているように、前記ブラシ固定柱部５ｂの上端には外周方向に折れ曲がった係止片５ｃが設けられ、前記ブラシ固定柱部５ｂの下方端と前記固定円筒部５ａの上端の境界には外周側へ突出した挟持片５ｄが設けられていて、前記係止片５ｃとこの挟持片５ｄの間の固定円柱部５ｂの外周面に前記ブラシ６を構成する細枝６ａの根元が多数固定されている。また、前記固定円柱部５ｂを筒状に形成した場合にはその内部にアクセサリー部材８を入れて透明な樹脂９で筒の中を埋めれば、デザインが向上し高級感を保たれる。更に、図示していないが、ブラシ取付具５を覆う取外し自在なキャップを用いれば、移動時などの不使用時に埃や細菌がブラシ６に付着し難くなり衛生的なものとなる。
【００２１】
前記細枝６ａは、前記ブラシ固定柱部５ｂと一体成型によって形成しても、又、植毛のようにして一本ずつ前記ブラシ固定部５ｂの外周面に固着しても良い。この細枝６ａは、図４においては４段であるがこれに限定されるものではなく、又、ランダムに固着しても良い。又、実施形態では各細枝６ａは先端側が太柄２方向へ僅かに折れ曲がっていることにより、背中を掻く際に引く方向の移動時に細枝６ａの弾力性により心地良く痒みを掻くことが出来るが、この形状に限定されるものではない。なお、図１、図２に示すように、太柄２の他方の開口部３ｂ側に手持ち紐１０を取り付けておけば持ち運びに便利である。
【００２２】
上記の構成からなるこの考案の携帯用ブラシ型背中掻き具１を使用するには、図５に示すように、太柄２から細柄４を全部又は一部を引き出してその長さを自分に合った最適の長さに調節する。そして、太柄２を握持してブラシ取付具５を背中の痒いところに持って行ってブラシ６を当てた状態で太柄２を往復移動させるだけで良い。この時、皮膚が炎症を起してたり、虫に刺されていたような場合には、それを治癒するための軟膏などの薬剤をブラシ６の先端に塗っておけば、痒みの緩和と同時に薬剤の塗布を兼ねて行うことが出来るので、同居者や介護者がいない場合でも一人で行えるので便利である。加えて、疣がある時でもその周りも優しく掻くことができる。
【００２３】
更に、ブラシ取付具５の全外周囲に放射状にブラシ６の先端側が突出しているので全方向で掻くことが出来、従来の背中掻きのように掻く鉤部が一方向にだけ形成されていないのでその向きを気にする必要がない。又、ブラシ６を構成する細枝６ａの材質を軟質の合成樹脂材料とすれば、背中の皮膚や肌にやさしく掻くことができる。更に、旅行などの移動する場合には、細柄４を太柄２の内部へ収納すれば嵩張らず、持ち運びに極めて便利である。柄の伸縮は柄の長手方向で行えるのでスペースを必要としない。
【産業上の利用可能性】
【００２４】
この考案に係る携帯用ブラシ型背中掻き具は、旅行者、皮膚や肌が弱い年配者或いは同居者や介護者のいない一人暮らしの年配者に特に好適に利用される。
【符号の説明】
【００２５】
１    携帯用ブラシ型背中掻き具
２    太柄
３    中空穴
４    細柄
５    ブラシ取付具
６    ブラシ
６ａ  細枝
７    中間部材
８    アクセサリ部材
９    透明樹脂
１０  紐
【図１】
0003198042.tif 000003
【図２】
0003198042.tif 000004
【図３】
0003198042.tif 000005
【図４】
0003198042.tif 000006
【図５】
0003198042.tif 000007